【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
第１のストリームと、前記第１のストリームとは異なる第２のストリームを再生する再生装置であって、
前記第１及び第２のストリームは映像を含むものであり、
前記第１のストリームを再生する第１の再生部と、
前記第２のストリームを再生する第２の再生部と、
前記第１または第２の再生部で再生された再生情報を出力する出力部と、
ネットワークと接続するネットワーク接続部と、
前記再生装置の各部を制御する制御部とを有し、
前記制御部は、前記ネットワーク接続部を介して認証に用いる情報をネットワークに送出することで前記第２のストリームと、前記第２のストリームを再生した際の前記再生情報の出力位置及び出力タイミングに関する制御情報を前記ネットワークから取得し、
さらに前記制御部は、前記第１のストリームの再生情報と前記第２のストリームの再生情報を前記制御情報に基づき重畳して前記出力部から出力するよう、前記第１及び第２の再生部を制御することを特徴とする再生装置。
【請求項２】
請求項１記載の再生装置であって、
前記認証情報の代わりに前記第１のストリームの再生回数を前記ネットワークに送信し、
前記第１のストリームの再生回数に応じて、前記ネットワークから取得される前記第２のストリームの内容が変化することを特徴とする再生装置。
【請求項３】
請求項１記載の再生装置であって、
前記認証情報の代わりに前記第１のストリームの再生日時を前記ネットワークに送信し、
前記第１のストリームの再生日時に応じて、前記ネットワークから取得される前記第２のストリームの内容が変化することを特徴とする再生装置。
【請求項４】
請求項１記載の再生装置であって、
前記第１のストリームは記録媒体に記録されているものであり、
前記認証情報の代わりに前記記録媒体の販売地域に関する地域コードを前記ネットワークに送信し、
前記地域コードに応じて、前記ネットワークから取得される前記第２のストリームの内容が変化することを特徴とする再生装置。
【請求項５】
請求項１記載の再生装置であって、
前記第１のストリームの再生情報と前記第２のストリームの再生情報を重畳して再生する際、前記第２のストリームの再生情報が前記第１のストリームの再生情報を補うように再生されることを特徴とする再生装置。
【請求項６】
請求項１記載の再生装置であって、
前記第２のストリームを前記ネットワークから取得する際、前記認証情報の代わりに課金を行うことを特徴とする再生装置。
【請求項７】
請求項１記載の再生装置であって、
前記第１及び第２のストリームは音声を含むものであり、
前記第２のストリームは、視聴者の操作に応じて前記第１のストリームの音声の一部を消音することを特徴とする再生装置。
【請求項８】
第１のストリームと、前記第１のストリームとは異なる第２のストリームを再生する再生方法であって、
前記第１及び第２のストリームは映像を含むものであり、
前記第１のストリームを再生する第１の再生ステップと、
前記第２のストリームを再生する第２の再生ステップと、
前記第１または第２の再生ステップで再生された再生情報を出力する出力ステップと、
ネットワークと接続するネットワーク接続ステップとを有し、
認証に用いる情報をネットワークに送出することで前記第２のストリームと、前記第２のストリームを再生した際の前記再生情報の出力位置及び出力タイミングに関する制御情報を前記ネットワークから取得し、
前記第１のストリームの再生情報と前記第２のストリームの再生情報を前記制御情報に基づき重畳して出力することを特徴とする再生方法。
【請求項９】
請求項８記載の再生方法であって、
前記第１のストリームの再生回数を前記ネットワークに送信し、
前記第１のストリームの再生回数に応じて、前記ネットワークから取得される前記第２のストリームの内容が変化することを特徴とする再生方法。
【請求項１０】
請求項８記載の再生方法であって、
前記第１のストリームの再生日時を前記ネットワークに送信し、
前記第１のストリームの再生日時に応じて、前記ネットワークから取得される前記第２のストリームの内容が変化することを特徴とする再生方法。
【請求項１１】
請求項８記載の再生方法であって、
前記第１のストリームは記録媒体に記録されているものであり、
前記記録媒体の販売地域に関する地域コードを前記ネットワークに送信し、
前記地域コードに応じて、前記ネットワークから取得される前記第２のストリームの内容が変化することを特徴とする再生方法。
【請求項１２】
請求項８記載の再生方法であって、
前記第１のストリームと前記第２のストリームを重畳して再生する際、前記第２のストリームが前記第１のストリームを補うように再生されることを特徴とする再生方法。
【請求項１３】
請求項８記載の再生方法であって、
前記第２のストリームを前記ネットワークから取得する際、認証の代わりに課金を行うことを特徴とする再生方法。
【請求項１４】
請求項８記載の再生方法であって、
前記第１及び第２のストリームは音声を含むものであり、
前記第２のストリームは、視聴者の操作に応じて前記第１のストリームの音声の一部を消音することを特徴とする再生方法。
【請求項１５】
記録媒体に第１のストリームと前記第１のストリームとは異なる第２のストリームを記録する記録方法であって、
前記第１及び第２のストリームは映像を含むものであり、
前記第１のストリームを記録する第１の記録ステップと、
前記第２のストリームを記録する第２の記録ステップと、
ネットワークと接続するネットワーク接続ステップとを有し、
認証に用いる情報をネットワークに送出することで前記第２のストリームと、前記第２のストリームを再生した際の再生情報の出力位置及び出力タイミングに関する制御情報を前記ネットワークから取得し、
前記第１のストリームと前記第２のストリームは前記制御情報に基づき重畳して出力されるよう記録されることを特徴とする記録方法。
【請求項１６】
請求項１５記載の記録方法であって、
前記第１のストリームの再生回数を前記ネットワークに送信し、
前記第１のストリームの再生回数に応じて、前記ネットワークから取得される前記第２のストリームの内容が変化することを特徴とする記録方法。
【請求項１７】
請求項１５記載の記録方法であって、
前記第１のストリームの再生日時を前記ネットワークに送信し、
前記第１のストリームの再生日時に応じて、前記ネットワークから取得される前記第２のストリームの内容が変化することを特徴とする記録方法。
【請求項１８】
請求項１５記載の記録方法であって、
前記記録媒体の販売地域に関する地域コードを前記ネットワークに送信し、
前記地域コードに応じて、前記ネットワークから取得される前記第２のストリームの内容が変化することを特徴とする記録方法。
【請求項１９】
請求項１５記載の記録方法であって、
前記第１のストリームと前記第２のストリームが重畳して再生される際、前記第２のストリームが前記第１のストリームを補うように再生されることを特徴とする記録方法。
【請求項２０】
請求項１５記載の記録方法であって、
前記第２のストリームを前記ネットワークから取得する際、認証の代わりに課金を行うことを特徴とする記録方法。
【請求項２１】
請求項１５記載の記録方法であって、
前記第１及び第２のストリームは音声を含むものであり、
前記第２のストリームは、視聴者の操作に応じて前記第１のストリームの音声の一部を消音するよう記録されることを特徴とする記録方法。
【請求項２２】
記録媒体に記録されている第１のストリームと、前記第１のストリームとは異なる第２のストリームを再生する再生装置。
【手続補正２】
【補正対象書類名】明細書
【補正対象項目名】発明の名称
【補正方法】変更
【補正の内容】
【発明の名称】再生装置、再生方法、記録方法